【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
積層ケイ酸塩構造と、該ケイ酸塩構造の隣接するケイ酸塩層間に位置する架橋金属原子とからなり、
該架橋金属原子が隣接するケイ酸塩層のそれぞれに少なくとも一個の共有結合を形成している柱状化ケイ酸塩化合物。
【請求項２】
上記積層ケイ酸塩構造がゼオライト型層からなる群から選ばれるケイ酸塩層を含む請求項１の柱状化ケイ酸塩化合物。
【請求項３】
上記積層ケイ酸塩構造が、一種以上の積層ケイ酸塩化合物を起源とする及び／又は一種以上の積層ケイ酸塩化合物に由来するか若しくは由来可能であり、
該一種以上の積層ケイ酸塩化合物が、ＭＣＭ−２２とＰＲＥＦＥＲ、Ｎｕ−６（２）、ＣＤＳ−１、ＰＬＳ−１、ＭＣＭ−４７、ＥＲＳ−１２、ＭＣＭ−６５、ＲＵＢ−１５、ＲＵＢ−１８、ＲＵＢ−２０、ＲＵＢ−３６、ＲＵＢ−３８、ＲＵＢ−３９、ＲＵＢ−４０、ＲＵＢ−４２、ＲＵＢ−５１、ＢＬＳ−１、ＢＬＳ−３、ＺＳＭ−５２、ＺＳＭ−５５、カネマイト、マカタイト、マガジイト、ケニヤイト、レブダイト、モンモリロナイト、およびこれらの二つ以上の組合せからなる群から選ばれる一種以上の積層ケイ酸塩を含む請求項１または２の柱状化ケイ酸塩化合物。
【請求項４】
上記積層ケイ酸塩構造のケイ酸塩層が同形置換される請求項１〜３のいずれか一項の柱状化ケイ酸塩化合物。
【請求項５】
上記架橋金属原子が、
ＬｉとＢｅ、Ｂ、Ｍｇ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｈｇ、Ａｌ、Ｇａ、Ｉｎ、Ｔｌ、Ｇｅ、Ｓｎ、Ｐｂ、Ｂｉ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｃ、Ｔｈ、Ｐａ、Ｕ、Ｎｐ、Ｐｕ、およびこれらの二つ以上の組合せからなる群から選ばれる一種以上の金属を含む請求項１〜４のいずれか一項の柱状化ケイ酸塩化合物。
【請求項６】
上記架橋金属原子が、ＡｌとＢとＴｉからなる群から選ばれる一種以上の元素を含まない請求項１〜５のいずれか一項の柱状化ケイ酸塩化合物。
【請求項７】
回折試験でＣｕ−Ｋ（α１）線を用いる場合、上記柱状化ケイ酸塩化合物のＸ線回折パターン中の最大ピーク（１００％強度）の２θ回折角度が、上記積層ケイ酸塩化合物のＸ線回折パターン中の相当する最大ピーク（１００％強度）の２θ回折角より０．０５〜１．４５°２θ低い請求項３〜６のいずれか一項の柱状化ケイ酸塩化合物。
【請求項８】
回折試験でＣｕ−Ｋ（α１）線を用いる場合、Ｘ線回折パターンの最大ピーク（１００％強度）が、２θ回折角で３〜１４°２θの範囲にある請求項１〜７のいずれか一項の柱状化ケイ酸塩化合物。
【請求項９】
ＤＩＮ６６１３５により測定したＢＥＴ表面積が５０〜９５０ｍ２／ｇの範囲である請求項１〜８のいずれか一項の柱状化ケイ酸塩化合物。
【請求項１０】
（１）一種以上の積層ケイ酸塩化合物と一種以上の金属化合物と一種以上の溶媒を含む酸性混合物を与える工程と
（２）工程（１）で得られた混合物を反応させて少なくとも一種の柱状化ケイ酸塩化合物を得る工程とを含み、
工程（２）での混合物の反応が、自生圧力下での上記混合物の加熱を含むものである請求項１〜９のいずれか一項の柱状化ケイ酸塩化合物の製造方法。
【請求項１１】
工程（２）での上記混合物の反応が上記混合物のソルボサーマル条件下での加熱を含むものである請求項１０の方法。
【請求項１２】
工程（２）での加熱が、５０〜２５０℃の範囲の温度で行われる請求項１０又は１１の方法。
【請求項１３】
上記酸性混合物中に含まれる一種以上の溶媒が水を含む請求項１０から１２のいずれか一項の方法。
【請求項１４】
工程（１）でさらに一種以上の酸が与えられる請求項１０から１３のいずれか一項の方法。
【請求項１５】
上記一種以上の金属化合物が一種以上のルイス酸を含み、該ルイス酸性度が特に上記一種以上の溶媒に対するものである請求項１０から１４のいずれか一項の方法。
【請求項１６】
工程（１）で与えられる混合物のｐＨが−０．５〜５の範囲である請求項１０から１５のいずれか一項の方法。
【請求項１７】
上記一種以上の積層ケイ酸塩化合物が、ＭＣＭ−２２とＰＲＥＦＥＲ、Ｎｕ−６（２）、ＣＤＳ−１、ＰＬＳ−１、ＭＣＭ−４７、ＥＲＳ−１２、ＭＣＭ−６５、ＲＵＢ−１５、ＲＵＢ−１８、ＲＵＢ−２０、ＲＵＢ−３６、ＲＵＢ−３８、ＲＵＢ−３９、ＲＵＢ−４０、ＲＵＢ−４２、ＲＵＢ−５１、ＢＬＳ−１、ＢＬＳ−３、ＺＳＭ−５２、ＺＳＭ−５５、カネマイト、マカタイト、マガジイト、ケニヤイト、レブダイト、モンモリロナイト、およびこれらの二つ以上の組合せからなる群から選ばれる一種以上の積層ケイ酸塩を含む請求項１０から１６のいずれか一項の方法。
【請求項１８】
上記一種以上の積層ケイ酸塩化合物の一種以上が同形置換される請求項１０から１７のいずれか一項の方法。
【請求項１９】
上記一種以上の金属化合物が、ＬｉとＢｅ、Ｂ、Ｍｇ、Ｓｃ、Ｙ、Ｌａ、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ｈｇ、Ａｌ、Ｇａ、Ｉｎ、Ｔｌ、Ｇｅ、Ｓｎ、Ｐｂ、Ｂｉ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ、Ａｃ、Ｔｈ、Ｐａ、Ｕ、Ｎｐ、Ｐｕ、およびこれらの二つ以上の組合せからなる群から選ばれる一種以上の金属を含む請求項１０から１８のいずれか一項の方法。
【請求項２０】
上記一種以上の金属化合物が、金属塩、金属錯体、有機金属化合物、およびこれらの二つ以上の組合せからなる群から選ばれる一種以上の金属化合物を含む請求項１０から１９のいずれか一項の方法。
【請求項２１】
上記の金属塩の群が、金属ハロゲン化物、金属水酸化物、金属炭酸塩、金属カルボン酸塩、金属硝酸塩、金属亜硝酸塩、金属リン酸塩、金属亜リン酸塩、金属ホスホン酸塩、金属ホスフィン酸塩、金属硫酸塩、金属亜硫酸塩、金属スルホン酸塩、金属アルコキシド、金属錯体、およびこれらの二つ以上の組合せ及び／または混合物、からなる群から選ばれる一種以上の化合物を含む請求項２０の方法。
【請求項２２】
上記有機金属化合物の群が、有機アルミニウム化合物、有機チタン化合物、有機マンガン化合物、有機鉄化合物、有機コバルト化合物、有機銅化合物、有機亜鉛化合物、有機パラジウム化合物、有機銀化合物、有機スズ化合物、有機白金化合物、有機金化合物、およびこれらの混合物からなる群から選ばれる一種以上の有機金属化合物を含む請求項２０または２１の方法。
【請求項２３】
上記混合物を工程（２）で１〜７２時間反応させる請求項１０から２２のいずれか一項の方法。
【請求項２４】
さらに、
（３）工程（２）で得られる混合物から柱状化ケイ酸塩を分離する工程；及び／又は
（４）工程（３）から得られる柱状化ケイ酸塩を洗浄及び／又は乾燥する工程を含む請求項１０から２３のいずれか一項の方法。
【請求項２５】
さらに、
（５）工程（２）及び／又は（３）及び／又は（４）で得られる柱状化ケイ酸塩を焼成する工程を含む請求項１０から２４のいずれか一項の方法。
【請求項２６】
請求項１０から２５のいずれか一項の方法で得ることのできるあるいは得られる柱状化ケイ酸塩化合物。
【請求項２７】
回折試験でＣｕ−Ｋ（α１）線を用いる場合、そのＸ線回折パターンの最大ピーク（１００％強度）が、２θ回折角で３〜１４°２θの範囲にある請求項２６の柱状化ケイ酸塩化合物。
【請求項２８】
ＤＩＮ６６１３５により測定したＢＥＴ表面積が５０〜９５０ｍ２／ｇの範囲にある請求項２６または２７の柱状化ケイ酸塩化合物。
【請求項２９】
成型物中に含まれている請求項１〜９と２６〜２８のいずれか一項の柱状化ケイ酸塩。
【請求項３０】
請求項１〜９と２６〜２８のいずれか一項の柱状化ケイ酸塩化合物の、モレキュラーシーブ、触媒、触媒成分、触媒担体またはそのバインダーしての、吸収材としての、イオン交換のための、セラミックスの製造のための及び／又はポリマー中での利用。